(57)【要約】      （修正有）【課題】ドライフラワー、プリザーブドフラワーや菓子類等を収納して装飾体として展示するケースにカード類を保持できるようにした展示ケースを提供する。【解決手段】透明薄板材よりなるケース本体１の胴部１１にカード類保持部１２を備える構造とする。胴部は三角錐形状、又は筒形状であり、カード類保持部は、胴部を形成する透明薄板材にＵ字状の切り込みを向かい合うように形成してある一対の爪片１２ａからなることが好ましい。【選択図】図１
0003220582.tif 000002
【実用新案登録請求の範囲】
【請求項１】
透明薄板材よりなるケース本体の胴部にカード類保持部を備えたことを特徴とする展示ケース。
【請求項２】
前記ケース本体の胴部が錐体形状である請求項１に記載の展示ケース。
【請求項３】
前記ケース本体の胴部の錐体形状が三角錐形状である請求項２に記載の展示ケース。
【請求項４】
前記ケース本体の胴部が筒形状である請求項１に記載の展示ケース。
【請求項５】
前記カード類保持部がケース本体の胴部を形成する透明薄板材にＵ字状の切り込みにより向かい合うように形成してある一対の爪片からなるものである請求項１〜４の何れか１項に記載の展示ケース。
【請求項６】
前記ケース本体の胴部にフック係止用切込部を設けてある請求項１〜５の何れか１項に記載の展示ケース。
【請求項７】
前記ケース本体に、前記ケース本体の底部に嵌合する台座と、胴部の一面に沿う背面板を連設してある台紙を組み込んだものであることを特徴とする請求項１〜６の何れか１項に記載の展示ケース。
【考案の詳細な説明】
【技術分野】
【０００１】
本考案は、ドライフラワー、プリザーブドフラワーや菓子類等を収納して装飾体として展示するケースにメッセージカード、写真等のカード類を保持できるようにした展示ケースに関するものである。
【背景技術】
【０００２】
従来の展示ケースはケース内にドライフラワー、プリザーブドフラワー、菓子類を収納して装飾効果を発揮させるものに過ぎないものであった（特許文献１）。そのため、例えば誕生プレゼントとして、菓子類入りケースにバースデーカード、メッセージカード等のカード類を取り付ける場合に粘着テープを使用するのが一般的であった。
【０００３】
前記したカード類を粘着テープにより展示ケースに貼り付ける方法では、手間が掛かる問題があり、また、受け取った人がメッセージカードを外して利用する場合に粘着剤が付着している場合に取り除くのが面倒であるという問題もある。
【先行技術文献】
【特許文献】
【０００４】
【特許文献１】登録実用新案３２１０４４５号公報
【考案の概要】
【考案が解決しようとする課題】
【０００５】
本考案は前記のような問題を解決して、ドライフラワー、プリザーブドフラワー、菓子類を装飾体として収納するケースにカード類も簡単に保持できる展示ケースを提供することを目的として完成されたものである。
【課題を解決するための手段】
【０００６】
本考案の展示ケースは、透明薄板材よりなるケース本体の胴部にカード類保持部を備えたことを特徴とするものを基本の考案とするものである。
【０００７】
また、前記ケース本体の胴部は錐体形状が好ましく、三角錐形状であることがより好ましいものである。
【０００８】
また、前記ケース本体の胴部が筒形状であっても良いものである。
【０００９】
また、前記カード類保持部がケース本体の胴部を形成する透明薄板材にＵ字状の切り込みにより向かい合うように形成した一対の爪片からなるものであることが好ましいものである。
【００１０】
また、前記ケース本体の胴部にフック係止用切込部を設けたものとしても良いものである。
【００１１】
さらには、前記ケース本体に、前記ケース本体の底部に嵌合する台座に胴部の一面に沿う背面板を連設してある台紙を組み込んだものとしても良いものである。
【考案の効果】
【００１２】
前記した本考案の展示ケースは、ケース本体にドライフラワー、プリザーブドフラワー、菓子類を収納すればこの収納物が透明薄板材を透して装飾効果を発揮できるものである。そして、パーティー等の贈り物とする場合に胴部に備えてあるカード類保持部にメッセージカード等のカード類を取り付けできるものである。
【００１３】
また、前記ケース本体の胴部は錐体形状とすれば、卓上等に安定して置くことができるものであり、また、上下を逆にして壁に掛けた場合に造花を収納するのに適したものとなる。
【００１４】
また、前記カード類保持部をケース本体の胴部を形成する透明薄板材にＵ字状の切り込みにより向かい合うように形成した一対の爪片からなるものであれば、部品点数を増やすことなく簡単に設けることができるものである。
【００１５】
また、前記ケース本体の胴部にフック係止用切込部を設けてあれば、壁に掛ける場合に便宜なものとなる。
【００１６】
さらには、前記ケース本体に、前記ケース本体の底部に嵌合する台座に胴部の一面に沿う背面板を連設してある台紙を組み込んだものであれば、前記背面板に造花をテープ等の止め具で所定位置に保持させることができるものでもある。また、前記背面板に色彩、模様等を施し装飾効果を高めることができるものでもある。
【図面の簡単な説明】
【００１７】
【図１】本考案の実施形態を示す斜視図である。
【図２】本考案の実施形態をカード類を取り付けた状態で示す斜視図である。
【図３】本考案の実施形態を天地を逆にして壁に掛けて使用する状態で示す一部切欠側面図である。
【図４】本考案の実施形態の展開図である。
【図５】展開状態からの組み立て第1手順を示す図である。
【図６】展開状態からの組み立て第２手順を示す図である。
【図７】台紙を組み込んだ状態の斜視図である。
【図８】台紙の斜視図である。
【図９】台紙の素板を裏面側から示す図である。
【図１０】台紙の素板の組み立て第1手順を示す図である。
【図１１】台紙の素板の組み立て第２手順を示す図である。
【図１２】台紙の素板の組み立て第３手順を示す図である。
【図１３】台紙の素板の組み立て第４手順を示す図である。
【考案を実施するための形態】
【００１８】
次に、本考案の好ましい実施の形態を図面に基づいて説明する。
１は透明薄板材よりなるケース本体であり、前記ケース本体１の胴部11にはカード類保持部12が備えられている。
【００１９】
図１〜図５に示すように、この実施形態では前記ケース本体１の胴部11は三角錐形状としたものである。しかし、胴部11の形状はこれに限定されることなく四角錐形状、円錐形状等の他の錐体形状でもよいものである。さらには、前記ケース本体１の胴部11を三角筒形状、四角筒形状、円筒形状等の筒形状としても良いものである。
【００２０】
前記カード類保持部12はケース本体１の胴部11を形成する透明薄板材にＵ字状の切り込み121、121を向かい合うように設けて、前記切り込み121、121により形成した一対の爪片12a、12aであることが部品点数を増やすことなく好ましいものである。しかし、別体とした一対の爪片をその基端を胴部11に貼り付けて設けたものであってもよいものである。
【００２１】
また、前記ケース本体１の胴部11にフック係止用切込部13が設けられている。このフック係止用切込部13は前記カード類保持部12を設けてある胴部11の同じ面に設けてある。
【００２２】
すなわち、図示の実施形態は前記したとおり、ケース本体１の胴部11は三角錐形状としたので、前記胴部11は二等辺三角形をした３枚の第１側面板11a、第２側面板11b、第３側面板11cよりなるものであり、その内の１枚の面である第１側面板11aに前記カード類保持部12と前記フック係止用切込部13を設けてある。
【００２３】
また、胴部11を三角錐形状としたケース本体１は図４に示す展開した状態のケース本体素板100を組み立てたものである。
【００２４】
すなわち、図４に示すケース本体素板100は、３枚の二等辺三角形状の第１側面板11a、第２側面板11b、第３側面板11cを、隣り合う第１側面板11aと第２側面板11bを折曲線111を介して、第２側面板11bと第３側面板11cを折曲線112を介して連設してなる胴部素板部101と、前記胴部素板部101の一方側辺すなわち第１側面板11a の外辺101aに折曲線113を介して連設した前記折曲線113に沿う係止切込102、102を備えた接続片103と、前記胴部素板部101の他方側辺すなわち第３側面板11cの外辺101bに折曲線114、114を介して連設した係止片104、104と、第２側面板11bの下辺に折曲線115を介して連設した主底板部105と、第３側面板11cの下辺に折曲線116を介して連設した副底板部106と、前記主底板部105に設けた抜止片105aよりなるものである。
【００２５】
前記したケース本体素板100は、図５に示す組み立て第１手順のように胴部素板部101の第１側面板11aを折曲線111により中央の第２側面板11bから内側に折曲する。次に、第１側面板11aの外辺101aに折曲線113を介して連設した接続片103を内側に折曲する。これにより前記折曲線113に沿う係止切込102、102による係止孔102a、係止孔102aが形成される。
【００２６】
続いて、図６に示す組み立て第２手順のように胴部素板部101の第３側面板11cを折曲線112により中央の第２側面板11bから内側に折曲する。そして、前記第３側面板11cの外辺101bに折曲線114、114を介して連設した係止片104、104を前記折曲線113に沿う係止切込102、102により形成された係止孔102a、102aに差し込めば、胴部11が組み立てられることとなる。この状態において胴部11の下方は開口されており、収納物の出し入れができるものである。
【００２７】
続いて、第３側面板11cの下辺に連設した副底板部106を折曲線116により前記開口を塞ぐように折曲する。次に、第２側面板11bの下辺に連設した主底板部105を折曲線115により副底板部106の底面に接するに折曲するとともに、前記主底板部105に設けた抜止片105aを副底板部106の辺と第１側面板11aの下辺の間に差し込む、これにより前記主底板部105は外れることなく副底板部106と開口を閉塞して、図１の組み立てた状態となるものである。
【００２８】
前記した構成よりなるケース本体１は、図２に示すようにキャンデーを装飾体（イ）と収納すれば、透明薄板材を透して装飾効果を発揮できるものである。そして、誕生祝いのプレゼントとする場合に胴部11に備えてあるカード類保持部12にバースデーカードのようなカード類（ロ）を取り付けできるものである。
【００２９】
しかも、前記カード類保持部12をケース本体１の胴部11を形成する透明薄板材にＵ字状の切り込み112、112によりを向かい合うように形成した一対の爪片12a、12aからなるものでるので、カード類（ロ）の上下端を係止することにより簡単に取り付けできるものである。また、カード類（ロ）の取り外しも容易なものである。また、このようなカード類保持部12は部品点数を増やすことなく簡単に設けることができるものである。また、前記ケース本体１の胴部11は三角錐形状であるので、卓上等に安定して置くことができるものである。
【００３０】
また、前記ケース本体１の胴部11にフック係止用切込部13を設けてあるので、図３に示すように、ケース本体１に造花（ハ）を収納して上下を逆にして壁のフックに掛けて展示することができるものである。
【００３１】
この場合、前記フック係止用切込部13を前記カード類保持部12が設けてある胴部11の１枚の面である第１側面板11aに設けることにより、前記カード類保持部12は壁側に位置するので体裁よく展示できるものである。
【００３２】
また、図７に示すように前記ケース本体１に、前記ケース本体１の底部10に嵌合する台座20に胴部11の一面に沿う背面板21を連設してある台紙２を組み込んでもよいものである。このように台紙２を組み込むことにより、前記背面板21に造花（ハ）をテープ等の止め具で所定位置に保持させることができるものでもある。また、前記背面板21に色彩、模様、風景等を施し装飾効果を高めることができるものでもある。
【００３３】
前記台紙２は図７、図８に示すとおり三角錐形状のケース本体１に対応したものであり、図９に示す素板を図10−図13に示す手順により図８の状態に組み立てるものである。
【００３４】
すなわち、前記図９に示す台紙２の素板は台座20を組み立てる台座素板部200とこれに連なる背面板21よりなるものであり、組み立て工程を容易とするため裏面側から表したものである。台座素板部200は正三角形状の台座を形成するように正三角形状の上台板部210の３辺に９０度の角度で谷折する第１折曲線211a、第２折曲線212a、第３折曲線213aを介して第１脚板部211、第２脚板部212、第３脚板部213を連設してある。
【００３５】
前記第１脚板部211の先端には山折用の折曲線211bを介して前記背面板21を連設してあり、該背面板21の表面側は前記第１脚板部211の表面側と接するものとしている。また、前記第２脚板部212の先端には谷折用の折曲線212bを介して鍔板部214を連設してある。前記第３脚板部213の先端には谷折用の折曲線213bを介して前記上台板部210と上下対向に配置することとなる正三角形状の下台板部220を連設してある。
【００３６】
前記正三角形状の下台板部220の第３脚板部213と連続しない辺の先端には背面板21と連設した第１脚板部211の内面に沿う補強板部215が谷折用の折曲線220aを介して連設してある。また、前記三角形状の下台板部220の残りの辺には係止片216が設けられており、前記第２脚板部212の先端辺の折曲線212bに設けた切込孔212cに係止するものとしている。
【００３７】
また、前記第２脚板部212の第１脚板部211側に位置する側辺と前記第３脚板部213の両側辺には補強用の耳片217、218、219が設けられている。
【００３８】
前記した図９に示す台紙２の素板は、先ず、図10に示す組み立て第１手順のように台座素板部200の補強用の耳片217、218、219を内側に折り込む。次に、図11に示す第２手順のように前記第２脚板部212を第２折曲線212aにより略90度の角度で谷折し、前記第２脚板部212の先端に谷折用の折曲線212bを介して連設した鍔板部214を略90度の角度で谷折する。
【００３９】
続いて、第３脚板部213を第３折曲線213aにより谷折し、次に、下台板部220を前記第３脚板部212の先端の谷折用の折曲線212bにより谷折すれば、下台板部220は第12図に示すように第２脚板部212、第３脚板部213により間隔をおいて上台板部210と対向した状態に位置して、台座20が組み立てられる。この場合に係止片216を切込孔212cに係止すれば台座20の保形状態は維持されるものである。
【００４０】
次に、図12−図13に示す組み立て第３−４手順で、前記第１脚板部211を補強板部215に沿うように第１折曲線211aにより谷折し、続いて、前記第１脚板部211の先端に山折用の折曲線211bを介して連設してある前記背面板21の表面側が前記第１脚板部211の表面側と接するように折り返せば、図８に示す台紙２が組み立てられることとなる。
【符号の説明】
【００４１】
１  ケース本体
10  底部
11  胴部
12  カード類保持部
13  フック係止用切込
２  台紙
20  台座
21  背面板
【図１】
0003220582.tif 000003
【図２】
0003220582.tif 000004
【図３】
0003220582.tif 000005
【図４】
0003220582.tif 000006
【図５】
0003220582.tif 000007
【図６】
0003220582.tif 000008
【図７】
0003220582.tif 000009
【図８】
0003220582.tif 000010
【図９】
0003220582.tif 000011
【図１０】
0003220582.tif 000012
【図１１】
0003220582.tif 000013
【図１２】
0003220582.tif 000014
【図１３】
0003220582.tif 000015